【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
ａ）
ａ１）少なくとも（メタ）アクリルモノマー（Ｍ１）、
ａ２）コア−シェル構造を有する多段階ポリマー（ＭＰ１）、
ａ３）ポリマー（Ｃ１）
を含む第一剤組成物（Ｐ１）と、
ｂ）
ｂ１）重合開始剤
を含む第二剤組成物（Ｐ２）と
を含む（メタ）アクリル接着剤組成物として適したポリマー組成物において、
ポリマー（Ｃ１）が２０００ｇ／ｍｏｌと１００００００ｇ／ｍｏｌの間の質量平均分子量Ｍｗを有していることを特徴とする、ポリマー組成物。
【請求項２】
多段階ポリマー（ＭＰ１）とポリマー（Ｃ１）のみを含む組成物中のポリマー（Ｃ１）の比率ｒが、５重量％と３５重量％の間；より好ましくは６重量％と３０重量％の間、更により好ましくは７重量％と３０重量％未満の間、有利には７重量％と２５重量％未満の間、より有利には１０重量％と２４重量％未満の間、更により有利には１０重量％と２０重量％未満の間であることを特徴とする、請求項１に記載の組成物。
【請求項３】
ポリマー（Ｃ１）が、少なくとも８０重量％のモノマーＣ１〜Ｃ４アルキルメタクリレート及び／又はＣ１〜Ｃ８アルキルアクリレートモノマーを含むことを特徴とする、請求項１又は２に記載のポリマー組成物。
【請求項４】
ポリマー（Ｃ１）が官能性コモノマーを含むことを特徴とする、請求項１から３の何れかに記載のポリマー組成物。
【請求項５】
官能性モノマーが、グリシジル（メタ）アクリレート、アクリル酸又はメタクリル酸、これらの酸から誘導されたアミド、例えば、ジメチルアクリルアミド、２−メトキシエチルアクリレート又はメタクリレート、場合によっては四級化された２−アミノエチルアクリレート又はメタクリレート、ポリエチレングリコール（メタ）アクリレートから選択されることを特徴とする、請求項４に記載のポリマー組成物。
【請求項６】
第一剤組成物（Ｐ１）がもう一種の更なる化合物：（メタ）アクリルモノマー（Ｍ１）とは異なる少なくとも一種のモノマー（Ｍ２）を含むことを特徴とする、請求項１から５の何れかに記載のポリマー組成物。
【請求項７】
（メタ）アクリルモノマー（Ｍ２）が、エステルのアルコール部分の基の炭素又は水素ではない少なくとも１個の原子を有するアクリルエステルモノマー又はメタクリルエステルモノマーから選択されることを特徴とする、請求項６に記載のポリマー組成物。
【請求項８】
（メタ）アクリルモノマー（Ｍ２）が、２−ヒドロキシエチルアクリレート、２−ヒドロキシエチルメタクリレート、２−及び３−ヒドロキシプロピルアクリレート、２−及び３−ヒドロキシプロピルメタクリレート、２−メトキシエチルアクリレート、２−メトキシエチルメタクリレート、２−エトキシエチルアクリレート、２−エトキシエチルメタクリレート、２−又は３−エトキシプロピルアクリレート、２−又は３−エトキシプロピルメタクリレート、２（２−エトキシエトキシ）エチルアクリレート、（好ましくは２〜８個の繰り返し（ＥＯ）単位を含む）メトキシポリエチレングリコールメタクリレート、好ましくは２〜８個の繰り返し（ＥＯ）単位を含むメトキシポリエチレングリコールアクリレート、好ましくは２〜８個の繰り返し（ＥＯ）単位を含むポリエチレングリコールメタクリレート、好ましくは２〜８個の繰り返し（ＥＯ）単位を含むポリエチレングリコールアクリレート、好ましくは２〜８個の繰り返し（ＥＯ）単位を含むポリプロピレングリコールメタクリレート、好ましくは２〜８個の繰り返し（ＥＯ）単位を含むポリプロピレングリコールアクリレート、及びそれらの混合物からなる群から選択される、請求項６又は７に記載のポリマー組成物。
【請求項９】
第一剤組成物（Ｐ１）が、もう一種の更なる化合物：可撓化剤を含むことを特徴とする、請求項１から５の何れかに記載のポリマー組成物。
【請求項１０】
（ａ）
ａ１）少なくとも一種の（メタ）アクリルモノマー（Ｍ１）、
ａ２）コア−シェル構造を有する多段階ポリマー（ＭＰ１）、
ａ３）ポリマー（Ｃ１）
を含む第一剤組成物（Ｐ１）を提供する工程と
（ｂ）
ｂ１）重合開始剤
を含む第二剤組成物（Ｐ２）を提供する工程と
（ｃ）（Ｐ１）と（Ｐ２）の混合物を重合させる工程と
を含む（メタ）アクリル接着剤組成物として適切なポリマー組成物を製造する方法において、
ポリマー（Ｃ１）が２０００ｇ／ｍｏｌと１００００００ｇ／ｍｏｌの間の質量平均分子量Ｍｗを有していることを特徴とする、方法。
【請求項１１】
コア−シェル構造を有する多段階ポリマー（ＭＰ１）とａ３）第一剤組成物（Ｐ１）のポリマー（Ｃ１）が一緒にポリマー組成物（ＰＣ１）を形成し、
ａ）モノマー又はモノマー混合物（Ａｍ）の乳化重合により重合して、１０℃未満のガラス転移温度を有するポリマー（Ａ１）を含む段階（Ａ）の一つの層を得る工程
ｂ）モノマー又はモノマー混合物（Ｂｍ）の乳化重合により重合して、少なくとも６０℃のガラス転移温度を有するポリマー（Ｂ１）を含む段階（Ｂ）の層を得る工程
ｃ）モノマー又はモノマー混合物（Ｃｍ）の乳化重合により重合して、少なくとも３０℃のガラス転移温度を有するポリマー（Ｃ１）を含む段階（Ｃ）の層を得る工程
を含む製造方法によって作製されることを特徴とし、
ポリマー（Ｃ１）が少なくとも１０００００ｇ／ｍｏｌの質量平均分子量Ｍｗを有することと、成分ｃ）が最大３０重量％を占めることを特徴とする、請求項１０に記載の方法。
【請求項１２】
コア−シェル構造を有する多段階ポリマー（ＭＰ１）とａ３）第一剤組成物（Ｐ１）のポリマー（Ｃ１）が一緒にポリマー組成物（ＰＣ１）を形成し、
ａ）ポリマー（Ｃ１）と多段階ポリマー（ＭＰ１）の混合工程、
ｂ）場合によっては、前工程の得られた混合物をポリマー粉末の形で回収する工程
を含む製造方法によって作製されることを特徴とし、
工程ａ）におけるポリマー（Ｃ１）と多段階ポリマー（ＭＰ１）が、水性相中の分散液の形態にある、請求項１０に記載の方法。
【請求項１３】
多段階ポリマー（ＭＰ１）とポリマー（Ｃ１）のみを含む組成物中のポリマー（Ｃ１）の比率ｒが、５重量％と３５重量％の間；より好ましくは６重量％と３０重量％の間、更により好ましくは７重量％と３０重量％未満の間、有利には７重量％と２５重量％未満の間、より有利には１０重量％と２４重量％未満の間、更により有利には１０重量％と２０重量％未満の間である、請求項１０から１２の何れかに記載の方法。
【請求項１４】
第一剤組成物（Ｐ１）が、もう一種の更なる化合物：（メタ）アクリルモノマー（Ｍ１）とは異なる少なくとも一種のモノマー（Ｍ２）を含むこと、好ましくは（メタ）アクリルモノマー（Ｍ２）が、エステルのアルコール部分の基の炭素又は水素ではない少なくとも１個の原子を有するアクリルエステルモノマー又はメタクリルエステルモノマーから選択されることを特徴とする、請求項１０から１３の何れかに記載の方法。
【請求項１５】
（メタ）アクリルモノマー（Ｍ２）が、２−ヒドロキシエチルアクリレート、２−ヒドロキシエチルメタクリレート、２−及び３−ヒドロキシプロピルアクリレート、２−及び３−ヒドロキシプロピルメタクリレート、２−メトキシエチルアクリレート、２−メトキシエチルメタクリレート、２−エトキシエチルアクリレート、２−エトキシエチルメタクリレート、２−又は３−エトキシプロピルアクリレート、２−又は３−エトキシプロピルメタクリレート、２（２−エトキシエトキシ）エチルアクリレート、（好ましくは２〜８個の繰り返し（ＥＯ）単位を含む）メトキシポリエチレングリコールメタクリレート、好ましくは２〜８個の繰り返し（ＥＯ）単位を含むメトキシポリエチレングリコールアクリレート、好ましくは２〜８個の繰り返し（ＥＯ）単位を含むポリエチレングリコールメタクリレート、好ましくは２〜８個の繰り返し（ＥＯ）単位を含むポリエチレングリコールアクリレート、好ましくは２〜８個の繰り返し（ＥＯ）単位を含むポリプロピレングリコールメタクリレート、好ましくは２〜８個の繰り返し（ＥＯ）単位を含むポリプロピレングリコールアクリレート、及びそれらの混合物からなる群から選択される、請求項１４に記載の方法。
【請求項１６】
第一剤組成物（Ｐ１）が、もう一種の更なる化合物：可撓化剤を含むことを特徴とする、請求項１０から１５の何れかに記載の方法。
【請求項１７】
請求項１から９の何れかに記載の組成物を含むか、又は請求項１０から１６の何れかに記載の方法に従って作製された、構造用接着剤ポリマー組成物。
【請求項１８】
構造用（メタ）アクリル接着剤を作製するための、請求項１から９の何れかに記載の組成物の使用。